(57)【特許請求の範囲】
【請求項１】
交流電流を供給する主電源と、
交流電流を直流電流に変換する整流回路と、
該整流回路からの直流電流が入力され、圧縮機を回転数可変に制御するインバータと、
前記主電源と前記整流回路とを接続する第１ライン上に設けられ、電流の供給により圧縮機内の冷媒を加熱する抵抗と、
前記第１ライン上において前記抵抗と前記整流回路との間に設けられた第１リレーと、
前記抵抗と前記第１リレーとの間と前記主電源とを接続する第２ライン上に設けられた第２リレーと、
前記第１リレー及び前記第２リレーを制御するリレー制御手段と、を備え、
前記リレー制御手段は、前記主電源と前記整流回路とを接続する際の最初の所定期間に前記第１リレーをＯＮし、前記第２リレーをＯＦＦすることを特徴とする圧縮機制御装置。
【請求項２】
前記リレー制御手段は、前記主電源と前記整流回路とを接続する際の最初の所定期間の前に、前記第１リレーをＯＦＦし、前記第２リレーをＯＮすることを特徴とする請求項１に記載の圧縮機制御装置。
【請求項３】
前記リレー制御手段は、前記抵抗が前記圧縮機内の冷媒を加熱する期間に、前記第１リレーをＯＦＦし、前記第２リレーのＯＮとＯＦＦとを繰り返すＯＮ／ＯＦＦ切替制御を行うことを特徴とする請求項２に記載の圧縮機制御装置。
【請求項４】
冷媒を圧縮する圧縮機と、
該圧縮機によって圧縮された冷媒を凝縮させる凝縮器と、
該凝縮器によって凝縮された冷媒を減圧する膨張弁と、
該膨張弁によって減圧された冷媒を蒸発させる蒸発器と、
前記圧縮機を制御する請求項１から３のいずれかに記載の圧縮機制御装置と、
を備えていることを特徴とする空気調和装置。
【請求項５】
交流電流を供給する主電源と、
交流電流を直流電流に変換する整流回路と、
該整流回路からの直流電流が入力され、圧縮機を回転数可変に制御するインバータと、
前記主電源と前記整流回路とを接続する第１ライン上に設けられ、電流の供給により圧縮機内の冷媒を加熱する抵抗と、
前記第１ライン上において前記抵抗と前記整流回路との間に設けられた第１リレーと、
前記抵抗と前記第１リレーとの間と前記主電源とを接続する第２ライン上に設けられた第２リレーと、を備えた圧縮機制御装置によって駆動される圧縮機の制御方法において、
前記主電源と前記整流回路とを接続する際の最初の所定期間に前記第１リレーをＯＮし、前記第２リレーをＯＦＦするステップを有することを特徴とする圧縮機の制御方法。
【発明の詳細な説明】
【技術分野】
【０００１】
本発明は、圧縮機制御装置およびこれを備えた空気調和装置ならびに圧縮機の制御方法に関し、より具体的には空気調和装置の室外機に備えられる圧縮機制御装置およびこれを備えた空気調和装置ならびに圧縮機の制御方法に関するものである。
【背景技術】
【０００２】
空気調和装置は、室外機に電動の圧縮機を備えており、この圧縮機の回転数を制御するために制御装置（具体的にはインバータ装置）が設けられている。制御装置の回路には、交流電流を直流電流に変換する整流回路などへの突入電流を抑制するための突入抑制回路が搭載されている。例えば、特許文献１には、突入電流を抑制するための突入電流制限抵抗が搭載されていることが開示されている。
【先行技術文献】
【特許文献】
【０００３】
【特許文献１】特開平７−３０５８８４号公報
【発明の概要】
【発明が解決しようとする課題】
【０００４】
空気調和装置の冷凍サイクルでは、閉回路中に冷媒および潤滑油が封入されている。例えば外気温が低い場合に圧縮機を停止させると、室外機内に配置された圧縮機の温度が低下して冷媒が液状態（液寝込み）となり、圧縮機内部の潤滑油に冷媒が溶解するため潤滑油の粘度低下が発生する。この状態で圧縮機を起動させると、潤滑油が冷媒とともに吐出され不足すること及び粘度が低下することにより、油膜の形成不全や液圧縮が発生し、圧縮機が損傷する恐れがある。
これを防止するために、室外機の圧縮機内の冷媒を加熱するクランクケースヒータが用いられている。クランクケースヒータを用いることにより、圧縮機内の冷媒が加熱されるため、前述したような冷媒の液寝込みを防ぐことができる。
【０００５】
しかしながら、上記特許文献１に開示された発明では、室外機内に配置された圧縮機内の冷媒が液寝込みを起こすのを防ぐための部品であるクランクケースヒータをさらに搭載する場合、突入抑制抵抗とは別にクランクケースヒータを設置する必要がある。この場合、クランクケースヒータの設置場所の確保が必要であったり、部品点数増によってコストが増加するという問題があった。
【０００６】
本発明は、このような事情に鑑みてなされたものであって、部品点数を増加させることなく、整流回路への突入電流と圧縮機の冷媒液寝込みの両方を防止する圧縮機制御装置およびこれを備えた空気調和装置ならびに圧縮機の制御方法を提供することを目的とする。
【課題を解決するための手段】
【０００７】
上記課題を解決するために、本発明の圧縮機制御装置およびこれを備えた空気調和装置ならびに圧縮機の制御方法は以下の手段を採用する。
交流電流を供給する主電源と、交流電流を直流電流に変換する整流回路と、該整流回路からの直流電流が入力され、圧縮機を回転数可変に制御するインバータと、前記主電源と前記整流回路とを接続する第１ライン上に設けられ、電流の供給により圧縮機内の冷媒を加熱する抵抗と、前記第１ライン上において前記抵抗と前記整流回路との間に設けられた第１リレーと、前記抵抗と前記第１リレーとの間と前記主電源とを接続する第２ライン上に設けられた第２リレーと、前記第１リレー及び前記第２リレーを制御するリレー制御手段と、を備え、前記リレー制御手段は、前記主電源と前記整流回路とを接続する際の最初の所定期間に前記第１リレーをＯＮし、前記第２リレーをＯＦＦすることを特徴とする圧縮機制御装置を採用する。
【０００８】
本発明によれば、第１リレー及び第２リレーを制御するリレー制御手段が主電源と整流回路とを接続する際の最初の所定期間に第１リレーをＯＮし、第２リレーをＯＦＦすることから、圧縮機内の冷媒を加熱する抵抗を突入電流の抑制に用いることができる。これにより、圧縮機内の冷媒の加熱にも用いられる抵抗を突入電流の抑制にも用いることができ、１つの抵抗が２つの機能を備えることとなり、部品の点数を削減することができる。また、設置面積を減らし、省スペース化を図ることができる。
【０００９】
上記発明において、前記リレー制御手段は、前記主電源と前記整流回路とを接続する際の最初の所定期間の前に、前記第１リレーをＯＦＦし、前記第２リレーをＯＮすることとしてもよい。
【００１０】
本発明によれば、リレー制御手段が主電源と整流回路とを接続する際の最初の所定期間の前に、第１リレーをＯＦＦし、第２リレーをＯＮにすることで、抵抗が圧縮機内の冷媒の加熱部品として機能することから、空気調和装置の室外機に搭載された圧縮機内の冷媒を温めることで、冷媒液寝込みを防ぐことができる。冷媒の液寝込みを除去した状態で、その後、抵抗が突入電流の抑制部品として機能することから、例えば空気調和装置の室外機に搭載された整流回路への突入電流を防ぐことができる。
さらに、第１リレー及び第２リレーが同時にＯＮされることがないため、１つの抵抗によって突入電流の抑制および圧縮機内の冷媒の加熱の２つの機能を備えることができる。
【００１１】
上記発明において、前記リレー制御手段は、前記抵抗が前記圧縮機内の冷媒を加熱する期間に、前記第１リレーをＯＦＦし、前記第２リレーのＯＮとＯＦＦとを繰り返すＯＮ／ＯＦＦ切替制御を行うこととしてもよい。
【００１２】
突入電流の抑制と圧縮機内の冷媒の加熱とでは、最適な抵抗値が異なる。突入電流に適した抵抗値とする場合においては、常に電源電圧が印加される場合、圧縮機の冷媒加熱用としては発熱温度や消費電力が大きくなりすぎる。
本発明によれば、抵抗が圧縮機内の冷媒の加熱用として用いられる場合は、抵抗の後段に備えられた第２リレーを随時ＯＮとＯＦＦとで繰り返し切り替える制御が行われることから、目標温度となるように適切な温度を保つことができ、無駄な電力の消費を抑えることができる。
【００１３】
本発明は、冷媒を圧縮する圧縮機と、該圧縮機によって圧縮された冷媒を凝縮させる凝縮器と、該凝縮器によって凝縮された冷媒を減圧する膨張弁と、該膨張弁によって減圧された冷媒を蒸発させる蒸発器と、前記圧縮機を制御する請求項１から３のいずれかに記載の圧縮機制御装置と、を備えていることを特徴とする空気調和装置を採用する。
【００１４】
本発明によれば、空気調和装置が前述した圧縮機制御装置を備えていることから、圧縮機内の冷媒の加熱にも用いられる抵抗を突入電流の抑制にも用いることができ、１つの抵抗が２つの機能を備えることとなり、部品の点数を削減することができる。また、設置面積を減らし、省スペース化を図ることができる。
【００１５】
本発明は、交流電流を供給する主電源と、交流電流を直流電流に変換する整流回路と、該整流回路からの直流電流が入力され、圧縮機を回転数可変に制御するインバータと、前記主電源と前記整流回路とを接続する第１ライン上に設けられ、電流の供給により圧縮機内の冷媒を加熱する抵抗と、前記第１ライン上において前記抵抗と前記整流回路との間に設けられた第１リレーと、前記抵抗と前記第１リレーとの間と前記主電源とを接続する第２ライン上に設けられた第２リレーと、を備えた圧縮機制御装置によって駆動される圧縮機の制御方法において、前記主電源と前記整流回路とを接続する際の最初の所定期間に前記第１リレーをＯＮし、前記第２リレーをＯＦＦするステップを有することを特徴とする圧縮機の制御方法を採用する。
【００１６】
本発明によれば、第１リレー及び第２リレーを制御するリレー制御手段が主電源と整流回路とを接続する際の最初の所定期間に第１リレーをＯＮし、第２リレーをＯＦＦすることから、圧縮機内の冷媒を加熱する抵抗を突入電流の抑制に用いることができる。これにより、圧縮機内の冷媒の加熱にも用いられる抵抗を突入電流の抑制にも用いることができ、１つの抵抗が２つの機能を備えることとなり、部品の点数を削減することができる。また、設置面積を減らし、省スペース化を図ることができる。
【発明の効果】
【００１７】
本発明によれば、１つの抵抗が突入電流の抑制および圧縮機内の冷媒の加熱の２つの機能を備えるので、部品点数を減らしコストを削減することができる。また、省スペース化を図ることができる。
【図面の簡単な説明】
【００１８】
【図１】本発明の一実施形態に係る圧縮機制御装置を示した概略構成図である。
【図２】本発明の一実施形態に係る圧縮機制御装置における各機器のＯＮ／ＯＦＦのタイミングチャートである。
【図３】本発明の参考例としての圧縮機制御装置を示した概略構成図である。
【図４】本発明の参考例としての圧縮機制御装置における各機器のＯＮ／ＯＦＦのタイミングチャートである。
【発明を実施するための形態】
【００１９】
以下に、本発明に係る圧縮機制御装置の一実施形態について、図面を参照して説明する。
図１には、本実施形態に係る圧縮機制御装置１の概略構成が示されている。
図１に示されるように、圧縮機制御装置１は、空気調和装置の室外機（図示せず）内部に設置されており、ＡＣ電源（主電源）５、抵抗５０、第１リレー１０、第２リレー２０、第３リレー３０、リレー制御手段８０、ＡＣ−ＤＣコンバータ（整流回路）１００、インバータ６０を主な構成として備えている。
インバータ６０が図示しない圧縮機の回転数制御を行うことにより、圧縮機制御装置１が圧縮機の制御を行う。この圧縮機により、空気調和装置（図示せず）の冷媒が圧縮される。また、空気調和装置には、圧縮機によって圧縮された冷媒を凝縮させる凝縮器（図示せず）、凝縮器によって凝縮された冷媒を減圧する膨張弁（図示せず）、および膨張弁によって減圧された冷媒を蒸発させる蒸発器（図示せず）がそれぞれ備えられており、圧縮機とともに空気調和装置の冷凍サイクルを構成している。
また圧縮機には、圧縮機の温度を検知するための圧縮機温度センサ（図示せず）が備えられている。
【００２０】
圧縮機制御装置１には、交流電流を供給するＡＣ電源５と交流電流を直流電流に変換するＡＣ−ＤＣコンバータ１００とを接続する４本のラインが設けられている。ＡＣ電源５とＡＣ−ＤＣコンバータ１００とを接続する第１ライン１１上には、抵抗５０及び第１リレー１０が上流から順に設置されている。また、第２ライン２１は、第１ライン１１上の抵抗５０と第１リレー１０との間と、ＡＣ電源５とを接続するラインであり、第２ライン２１上には、第２リレー２０が設置されている。また、第３ライン３１は、ＡＣ電源５とＡＣ−ＤＣコンバータ１００とを接続するラインであり、第３ライン３１上には、第３リレー３０が設置されている。また、第４ライン４１は、ＡＣ−ＤＣコンバータ１００とＡＣ電源５とを接続するラインである。
【００２１】
第１リレー１０及び第２リレー２０は、リレー制御手段８０によって制御されている。また、第３リレー３０は、インバータ６０内に備えられているＣＰＵ６１によって制御されている。
抵抗５０は、本実施形態では室外機の圧縮機（図示せず）に設置されている。また抵抗５０の抵抗値は、圧縮機制御装置１において抵抗５０が突入電流の抑制のための突入抑制抵抗として用いられる場合の抵抗値とされている。この抵抗値は、一般的に圧縮機制御装置１において抵抗５０がクランクケースヒータとして用いられる場合の抵抗値よりも小さな値となり、発熱量が大きい。
【００２２】
図２には、本実施形態に係る圧縮機制御装置１における各機器のＯＮ／ＯＦＦのタイミングチャートが示されている。
図２には、ＡＣ電源５、インバータ６０、抵抗５０のＯＮ／ＯＦＦが示されているが、インバータ６０のＯＮ／ＯＦＦはすなわち第３リレー３０のＯＮ／ＯＦＦタイミングを示している。また、抵抗５０のＯＮ／ＯＦＦは、第１リレー１０及び第２リレー２０のＯＮ／ＯＦＦタイミングを示しているが、本実施形態における第１リレー１０及び第２リレー２０のＯＮ／ＯＦＦタイミングを、抵抗５０とは別に示す。
【００２３】
まず、時間Ｔ１において、ＡＣ電源５がＯＮになると（この時点で圧縮機すなわちインバータ６０はＯＦＦ）、第２リレー２０はリレー制御手段８０によってＯＮ／ＯＦＦ切替制御が行われ、ＯＮとＯＦＦとを繰り返す。抵抗５０は、この時、圧縮機内の冷媒の加熱を行うクランクケースヒータとして機能する。
リレー制御手段８０による第２リレー２０のＯＮ／ＯＦＦのタイミングの制御は、圧縮機温度センサ（図示せず）が検知する温度が所定温度以下となった場合にＯＮとするものとする。この所定温度とは、圧縮機の冷媒液寝込みが発生する温度であり、冷媒の物性および空調機のシステム構成により決定される値である。圧縮機は、室外機に設置されているため、外気温により所定温度に達する頻度が左右される。そのため、第２リレー２０のＯＮ／ＯＦＦの切替えの頻度およびタイミングは一定ではない場合がある。
この場合、電流は、第２リレー２０がＯＮの場合は図１の太線で示されるルート、すなわちＡＣ電源５から抵抗５０及び第２リレー２０を通過する第２ライン２１を通るルートを流れる。
【００２４】
次に、時間Ｔ２において、インバータ６０がＯＦＦからＯＮになる瞬間（第３リレー３０がＯＮ）、ＡＣ−ＤＣコンバータ１００及びインバータ６０に突入電流が流れ込むのを防ぐため、抵抗５０は突入抑制抵抗として機能する。この時、第１リレー１０がリレー制御手段８０によってＯＮになり、第２リレー２０はリレー制御手段８０によってＯＦＦとされる。第２リレー２０は、インバータ６０がＯＮの場合は、必ずＯＦＦである必要がある。
この場合、電流は、図１の一点鎖線で示されるルート、すなわちＡＣ電源５から抵抗５０及び第１リレー１０を通過しＡＣ−ＤＣコンバータ１００へ接続される第１ライン１１を通るルートを流れる。
【００２５】
時間Ｔ３においてＡＣ−ＤＣコンバータ１００及びインバータ６０が通電し突入電流の流入の恐れが無くなると、リレー制御手段８０によって第１リレー１０はＯＦＦとされる。
この場合、電流は、図１の点線で示されるルート、すなわちＡＣ電源５から第３リレー３０を通過しＡＣ−ＤＣコンバータ１００へ接続される第３ライン３１を通るルートを流れる。
【００２６】
時間Ｔ４においてインバータ６０がＯＦＦ、及びＣＰＵ６１によって第３リレー３０がＯＦＦとされると、ＡＣ電源５はＯＮのままであるので、次回インバータ６０がＯＮとなるまで抵抗５０はクランクケースヒータとして機能する。この時、第２リレー２０は再びリレー制御手段８０によってＯＮ／ＯＦＦ切替制御が行われ、ＯＮとＯＦＦとを繰り返す。例えば、図２の例では時間Ｔ４直後は圧縮機温度センサ（図示せず）が検知した温度が所定温度以下ではないため、第２リレー２０はＯＦＦのままである。一定時間経過の後、冷媒の温度が下がり圧縮機温度センサが検知する温度が所定温度以下となると、第２リレー２０がＯＮに制御される。その後、圧縮機温度センサが検知する温度に基づき、リレー制御手段８０によって第２リレー２０のＯＮ／ＯＦＦ切替制御が行われる。
この場合、電流は、第２リレー２０がＯＮの場合は図１の太線で示されるルート、すなわちＡＣ電源５から抵抗５０及び第２リレー２０を通過する第２ライン２１を通るルートを流れる。
【００２７】
時間Ｔ５においてＡＣ電源５がＯＦＦとなると、電流は供給されなくなるため、リレー制御手段８０によって第２リレー２０もＯＦＦとされる。
【００２８】
次に、従来の圧縮機制御装置について、図３及び４を参照して説明する。
図３には、参考例としての圧縮機制御装置３の概略図が示されている。
図３に示されるように、参考例としての圧縮機制御装置３は、空気調和装置の室外機（図示せず）内部に設置されており、ＡＣ電源５、突入抑制抵抗５１、クランクケースヒータ５２、第１リレー１０、第２リレー２０、第３リレー３０、リレー制御手段８３、ＡＣ−ＤＣコンバータ１００、インバータ６０を主な構成として備えている。
圧縮機制御装置３には、ＡＣ電源５とＡＣ−ＤＣコンバータ１００とを接続する４本のラインが設けられている。ＡＣ電源５とＡＣ−ＤＣコンバータ１００とを接続する第１ライン１３上には、第１リレー１０及び突入抑制抵抗５１が上流から順に設置されている。また第２ライン２３は、ＡＣ電源５と第１リレー１０との間と、ＡＣ電源５とを接続するラインであり、第２ライン２３上には、クランクケースヒータ５２及び第２リレー２０が上流から順に設置されている。また、第３ライン３３は、ＡＣ電源５とＡＣ−ＤＣコンバータ１００とを接続するラインであり、第３ライン３３上には、第３リレー３０が設置されている。また、第４ライン４３は、ＡＣ−ＤＣコンバータ１００とＡＣ電源５とを接続するラインである。
ここで、第１ライン１３上の第１リレー１０及び突入抑制抵抗５１、および第２ライン２３上のクランクケースヒータ５２及び第２リレー２０は、上流からの順序が逆であってもよい。
【００２９】
第１リレー１０及び第２リレー２０は、リレー制御手段８３によって制御されている。また、第３リレー３０は、インバータ６０内に備えられているＣＰＵ６１によって制御されている。
また、突入抑制抵抗５１は、ＡＣ−ＤＣコンバータ１００及びインバータ６０への突入電流を防ぐ抵抗であり、室外機の制御基板内に設けられている。クランクケースヒータ５２は、室外機の冷媒の液寝込みを防ぐために圧縮機内の冷媒を温める抵抗であり、室外機の圧縮機に設けられている。
突入抑制抵抗５１及びクランクケースヒータ５２の抵抗値は、各々の機能に応じた値とされている。
【００３０】
図４には、参考例としての圧縮機制御装置３における各機器のＯＮ／ＯＦＦのタイミングチャートが示されている。
図４には、ＡＣ電源５、インバータ６０、突入抑制抵抗５１及びクランクケースヒータ５２のＯＮ／ＯＦＦが示されている。インバータ６０のＯＮ／ＯＦＦはすなわち第３リレー３０のＯＮ／ＯＦＦタイミングを示しており、また、突入抑制抵抗５１のＯＮ／ＯＦＦは第１リレー１０、クランクケースヒータ５２のＯＮ／ＯＦＦは第２リレー２０のＯＮ／ＯＦＦタイミングをそれぞれ示している。
【００３１】
まず、時間Ｔ６において、ＡＣ電源５がＯＮになると、第２リレー２０はリレー制御手段８３によってＯＮとされ、クランクケースヒータ５２がＯＮとなり機能する。
この場合、電流は、図３の太線で示されるルート、すなわちＡＣ電源５からクランクケースヒータ５２及び第２リレー２０を通過する第２ライン２３を通るルートを流れる。
【００３２】
次に、時間Ｔ７において、インバータ６０がＯＦＦからＯＮになる瞬間（第３リレー３０がＯＮ）、ＡＣ−ＤＣコンバータ１００及びインバータ６０に突入電流が流れ込むのを防ぐため、突入抑制抵抗５１が機能する必要がある。この時、第１リレー１０がリレー制御手段８３によってＯＮになり、第２リレー２０はリレー制御手段８３によってＯＦＦとされる。
この場合、電流は、図３の一点鎖線で示されるルート、すなわちＡＣ電源５から第１リレー１０及び突入抑制抵抗５１を通過しＡＣ−ＤＣコンバータ１００へ接続される第１ライン１３を通るルートを流れる。
【００３３】
時間Ｔ８においてＡＣ−ＤＣコンバータ１００及びインバータ６０が通電し突入電流の流入の恐れが無くなると、リレー制御手段８３によって第１リレー１０はＯＦＦとされる。
この場合、電流は、図３の点線で示されるルート、すなわちＡＣ電源５から第３リレー３０を通過しＡＣ−ＤＣコンバータ１００へ接続される第３ライン３３を通るルートを流れる。
ここで、第１リレー１０は時間Ｔ８からＴ９までＯＮのままとしてもよい。この場合であっても、第１ライン１３上には抵抗成分となる突入抑制抵抗５１が設けられているため、電流は図３の点線で示される第３ライン３３を通るルートを流れる。
【００３４】
時間Ｔ９においてインバータ６０がＯＦＦ、及びＣＰＵ６１によって第３リレー３０がＯＦＦとされると、ＡＣ電源５はＯＮのままであるので、次回インバータ６０がＯＮとなるまでクランクケースヒータ５２が機能する。この時、第２リレー２０は再びリレー制御手段８３によってＯＮとされる。
この場合、電流は、図３の太線で示されるルート、すなわちＡＣ電源５からクランクケースヒータ５２及び第２リレー２０を通過する第２ライン２３を通るルートを流れる。
【００３５】
時間Ｔ１０においてＡＣ電源５がＯＦＦとなると、電流は供給されなくなるため、リレー制御手段８３によって第２リレー２０もＯＦＦとされる。
【００３６】
このように、参考例の圧縮機制御装置３の場合は、突入抑制抵抗５１及びクランクケースヒータ５２がいずれも抵抗成分であるとともに同じＡＣ電源電圧が印加されるにもかかわらず、それぞれ専用部品として別々に備えられる必要がある。また、各々の設置場所も必要となる。
【００３７】
以上、説明してきたように、本実施形態に係る圧縮機制御装置１によれば、以下の作用効果を奏する。
第１リレー１０及び第２リレー２０を制御するリレー制御手段８０がＡＣ電源５とＡＣ−ＤＣコンバータ１００を接続する際の最初の所定期間に第１リレー１０をＯＮし、第２リレー２０をＯＦＦすることから、抵抗５０を突入電流の抑制に用いることができる。これにより、圧縮機内の冷媒の加熱にも用いられる抵抗５０を突入電流の抑制にも用いることができ、１つの抵抗５０が２つの機能を備えることとなり、部品の点数を削減しコストの削減が見込める。また、設置面積を減らし、省スペース化を図ることができる。
【００３８】
また、リレー制御手段８０がＡＣ電源５とＡＣ−ＤＣコンバータ１００とを接続する際の最初の所定期間の前に、第１リレー１０をＯＦＦし、第２リレー２０をＯＮにすることで、抵抗５０が圧縮機内の冷媒の加熱部品として機能することから、空気調和装置の室外機に搭載された圧縮機内の冷媒を温めることで、冷媒液寝込みを防ぐことができる。冷媒の液寝込みを除去した状態で、その後、抵抗５０が突入電流の抑制部品として機能することから、例えば空気調和装置の室外機に搭載されたＡＣ−ＤＣコンバータ１００への突入電流を防ぐことができる。
さらに、第１リレー１０及び第２リレー２０が同時にＯＮされることがないため、１つの抵抗５０によって突入電流の抑制および圧縮機内の冷媒の加熱の２つの機能を備えることができる。
【００３９】
また、突入電流の抑制と圧縮機内の冷媒の加熱とでは、最適な抵抗値が異なる。突入電流に適した抵抗値とする場合においては、常に電源電圧が印加される場合、圧縮機の冷媒加熱用としては発熱温度や消費電力が大きくなりすぎる。
本実施形態によれば、突入電流の抑制における抵抗値を採用している抵抗５０が圧縮機内の冷媒の加熱用として用いられる場合は、リレー制御手段８０によって抵抗５０の後段に備えられた第２リレー２０を随時ＯＮとＯＦＦとで繰り返し切り替える制御が行われることから、所望の目標温度となるように適切な温度を保つことができ、無駄な電力の消費を抑えることができる。
【００４０】
以上、本発明の実施形態について図面を参照して詳述してきたが、具体的な構成はこの実施形態に限られるものではなく、本発明の要旨を逸脱しない範囲の設計変更なども含まれる。
【００４１】
たとえば、上述した実施形態においては第２リレーのＯＮ／ＯＦＦのタイミングの制御は圧縮機に設置された圧縮機温度センサの検知する温度に基づくとしたが、事前にＯＮ／ＯＦＦタイミングと温度上昇／下降の関係をデータとして取得しておきこれに応じたタイミングとする、抵抗５０近傍に温度センサを設置し計測温度に応じたタイミングとする等、圧縮機の冷媒液寝込みを防止するのに適切な温度を保つことができる方法を選択するとしてもよい。
【符号の説明】
【００４２】
１、３  圧縮機制御装置
５  ＡＣ電源（主電源）
１０  第１リレー
２０  第２リレー
３０  第３リレー
５０  抵抗
５１  突入抑制抵抗
５２  クランクケースヒータ
６０  インバータ
６１  ＣＰＵ
８０、８３  リレー制御手段
１００  ＡＣ−ＤＣコンバータ（整流回路）
【図１】
0006333685.tif 000002
【図２】
0006333685.tif 000003
【図３】
0006333685.tif 000004
【図４】
0006333685.tif 000005